(57)【要約】【課題】  本発明は、内燃機関用点火コイルに水がかかった場合であっても、絶縁ケース固定用フランジ部の肉盗み部に水が溜まらないような形状として、前記絶縁ケースに使用している樹脂の加水分解を防止する内燃機関用点火コイルを提供することを目的とする。【解決手段】  絶縁ケースに成形されたフランジ部の一方には、肉厚を薄くした凹部と、前記凹部の下部に設けられた水抜き口とから構成されている。傾斜面を有する肉厚を薄くした凹部は、前記内燃機関用点火コイルをどのような向きに取り付けたとしても、前記水抜き口から水が抜けるので、溜まり水により、絶縁ケースを加水分解で劣化させることがないと同時に、成形時にフランジ部にひけまたはボイドが成形されるのを防止することができる。【選択図】    図１
2005294362.tif 000002
【特許請求の範囲】
【請求項１】
ボビンに巻回されている一次コイルおよび二次コイルと、前記一次コイルおよび二次コイルを磁気的に結合させる鉄心と、前記コイルおよび鉄心等を収納するとともに内燃機関に取り付ける際の固定用フランジ部が外周部に設置されている絶縁ケースとから少なくとも構成されている内燃機関用点火コイルにおいて、
前記フランジ部の一方に肉厚が薄く成形された凹部と、
前記凹部の下部に設けられた水抜き口と、
から構成されていることを特徴とする内燃機関用点火コイル。
【請求項２】
前記フランジ部の一方に成形された凹部は、少なくとも一つの傾斜部を有することを特徴とする請求項１に記載された内燃機関用点火コイル。
【発明の詳細な説明】
【技術分野】
【０００１】
本発明は、点火コイルの一次電流を断続的に遮断した際に、二次側に発生する高電圧により、点火プラグに火花を発生させる内燃機関用点火コイルに関するものである。本発明は、特に、内燃機関用点火コイルにおける絶縁ケース固定用フランジ部に関するものである。
【背景技術】
【０００２】
図４は従来の内燃機関用点火コイルにおける絶縁ケース固定用フランジ部を説明するための平面図である。図５は従来の内燃機関用点火コイルにおける絶縁ケース固定用フランジ部を説明するための側面図である。図４および図５において、内燃機関用点火コイルは、コイル等を収納する絶縁ケース４１と、前記絶縁ケース４１の一端に設けられたコネクタ部４２と、前記コネクタ部４２と反対側に設けられた固定用フランジ部４３とから構成されている。
【０００３】
前記フランジ部４３には、取り付け孔４３１と、肉厚が厚いために、成形時に発生するひけ（成形した後、収縮時に生じる材料のひきつりや凹部）またはボイド（鬆）が成形されるのを防止するために肉盗み部（以下、本明細書において、肉厚を薄くするための凹部のことをいう）４４が一方に成形されている。また、前記フランジ部４３の他方には、同じく肉盗み部４５が成形されている。
【０００４】
前記フランジ部４３に肉盗み部４４、４５を設けた例は、たとえば、特願２００２−３３７７２６号公報に記載されている。
【０００５】
【特許文献１】特願２００２−３３７７２６号公報
【発明の開示】
【発明が解決しようとする課題】
【０００６】
しかし、前記肉盗み部４４、４５は、単に、凹部を設けたに過ぎないため、水分が溜まる場合がある。前記絶縁ケース４１を構成している樹脂は、水分が溜まると、加水分解してしまい、フランジ部４３の強度が低下し、剛性低下による耐振動性が低下することで、コネクタ部４２における端子どうしにて瞬断が発生して、内燃機関の点火不良を起こす恐れがある。
【０００７】
前記加水分解により劣化したフランジ部４３は、最悪の場合、折れて内燃機関用点火コイルの固定ができなくなり、点火プラグに高電圧を供給することができずに、内燃機関を停止させてしまう恐れがある。
【０００８】
本発明は、以上のような課題を解決するためのものであり、内燃機関用点火コイルに水がかかった場合であっても、フランジ部の肉盗み部に水が溜まらないような形状として、前記絶縁ケースに使用している樹脂の加水分解を防止する内燃機関用点火コイルを提供することを目的とする。
【課題を解決するための手段】
【０００９】
（第１発明）
第１発明の内燃機関用点火コイルは、ボビンに巻回されている一次コイルおよび二次コイルと、前記一次コイルおよび二次コイルを磁気的に結合させる鉄心と、前記コイルおよび鉄心等を収納するとともに内燃機関に取り付ける際の固定用フランジ部が外周部に設置されている絶縁ケースとから少なくとも構成されており、前記フランジ部の一方に成形された肉厚を薄くした凹部と、前記凹部の下部に設けられた水抜き口とから構成されていることを特徴とする。
【００１０】
（第２発明）
第２発明の内燃機関用点火コイルにおいて、第１発明におけるフランジ部の一方に成形された凹部は、少なくとも一つの傾斜部を有することを特徴とする。
【発明の効果】
【００１１】
本発明によれば、フランジ部の一方における肉盗み部となる凹部と、当該凹部の下部に水抜き口を設けることで、水が抜ける構造として、絶縁ケースを構成する樹脂が加水分解により劣化するのを防止する。
【００１２】
本発明によれば、フランジ部における肉盗み部となる凹部に少なくとも一つの傾斜面を成形するとともに、前記凹部の下部に水抜き口を連設することにより、内燃機関用点火コイルがどのような角度に取り付けられた場合であっても、前記肉盗み部に水が溜まることがないため、加水分解によりフランジ部の材料における機械的強度を劣化させることがなく、耐振動性が安定することにより、コネクタ端子部で瞬断を発生させずに安定した内燃機関の点火が可能になる。
【００１３】
本発明によれば、前記フランジ部の一方または他方に、肉盗み部を成形しても、前記フランジ部の機械的強度を確保できるような形状であるため、折れることなく、確実に点火コイルが固定でき、安定した点火プラグに高電圧が供給され、内燃機関を停止させる恐れが無くなる。
【００１４】
本発明によれば、フランジ部に少なくとも一つの傾斜面を有する肉厚を薄くした凹部により、成形時に発生するひけ（成形した後、収縮時に生じる材料のひきつりや凹部）またはボイドの発生を無くすことができた。
【発明を実施するための最良の形態】
【００１５】
（第１発明）
第１発明の内燃機関用点火コイルは、ボビンに巻回されている一次コイルおよび二次コイルと、前記一次コイルおよび二次コイルを磁気的に結合させる鉄心と、前記コイルおよび鉄心等を収納するとともに内燃機関に取り付ける際の固定用フランジ部が外周部に設置されている絶縁ケースとから少なくとも構成されている。
【００１６】
前記絶縁ケースは、一端に成形されたコネクタ部と、他端に成形された内燃機関用点火コイル用取付孔を有するフランジ部とから構成されている。前記フランジ部の一方の面には、肉厚を薄くした凹部と、前記凹部の下部に連設された水抜き口とから構成されている。
【００１７】
前記肉厚を薄くした凹部は、前記水抜き口から水が抜けるので、凹部の溜まり水により、絶縁ケースを加水分解で劣化させることがないと同時に、成形時にフランジ部にひけ（成形した後、収縮時に生じる材料のひきつりや凹部）またはボイド（鬆）が成形されるのを防止することができる。
【００１８】
（第２発明）
第２発明の内燃機関用点火コイルは、凹部の形状が第１発明と異なっている。すなわち、第２発明の凹部は、フランジ部の一方に少なくとも一つの傾斜面が成形され、その下部に水抜き口が連設されている。第２発明は、内燃機関用点火コイルをどのような方向に傾けて取り付けたとしても、水抜きが完全にできるため、絶縁ケース固定用フランジ部における加水分解による劣化が生じない。前記凹部の傾斜面は、たとえば、すり鉢状にすることもできる。
【００１９】
本発明の内燃機関用点火コイルは、フランジ部の他方にも肉厚を薄くした凹部が成形されている。前記凹部は、強度と前記ひけやボイドの発生状態により任意に設けることができる。前記凹部は、前記フランジ部の下方になるため、特に傾斜面を設ける必要がない。
【実施例１】
【００２０】
図１は本発明の第１実施例である内燃機関用点火コイルにおける絶縁ケース固定用フランジ部を説明するための平面図である。図１において、内燃機関用点火コイルは、コイル等を収納する絶縁ケース１１と、前記絶縁ケース１１の一端に設けられたコネクタ部１２と、前記コネクタ部１２と反対側に設けられた固定用フランジ部１３とから構成されている。
【００２１】
前記フランジ部１３には、取付孔１３１と、肉厚が厚いために、成形時に発生するひけ（成形した後、収縮時に生じる材料のひきつりや凹部）またはボイド（鬆）が成形されるのを防止するために肉盗み部１４が一方に成形されている。前記肉盗み部１４は、たとえば、複数の傾斜面１４１から構成されている。また、前記複数の傾斜面１４１に連なる下部には、貫通する水抜き口１４２が成形されている。前記傾斜面１４１は、少なくとも一つとすることもできる。
【００２２】
前記内燃機関用点火コイルは、前記フランジ部１３の取付孔１３１によって、どのような角度に取り付けられても、水が前記傾斜面１４１に沿って下部に流れるか、あるいは前記水抜き口１４２から外部に流出して溜まることがないので、絶縁ケース１１の固定用フランジ部１３における樹脂を加水分解により劣化させることがない。
【実施例２】
【００２３】
図２は本発明の第２実施例である内燃機関用点火コイルにおける絶縁ケース固定用フランジ部を説明するための側面図である。図２において、前記フランジ部１３の上面に成形された肉盗み部２４は、すり鉢状傾斜面２４１でほぼ円錐形に成形され、その下部に連通する水抜き口２４２が設けられている。
【実施例３】
【００２４】
図３は本発明の第３実施例である内燃機関用点火コイルにおける絶縁ケース固定用フランジ部を説明するための底面図である。図２および図３において、前記フランジ部１３に成形された肉盗み部２５は、たとえば、すり鉢状傾斜面２４１の肉盗み部２４の反対側に、図示の形状に成形され、その下部にすり鉢状傾斜面２４１の肉盗み部２４に通じる水抜き口２４２が設けられている。
【００２５】
前記下部に成形される肉盗み部２５は、従来と同様な傾斜を持たないものであっても良い。内燃機関用点火コイルは、上下が逆に取り付けられることがないから、水が溜まり、樹脂が加水分解によって劣化することがない。
【産業上の利用可能性】
【００２６】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載された内燃機関用点火コイルの絶縁ケースに用いる材料は特に限定されるものではなく、公知または周知のものを使用することができる。
【００２７】
本発明の特許請求の範囲に記載された事項を逸脱することがなければ、肉盗み部およびすり鉢状傾斜面に限定されるものではない。要するに、本発明の肉盗み部の形状は、フランジ部が取り付けられた際に、水が溜まらなければ良い。
【図面の簡単な説明】
【００２８】
【図１】本発明の第１実施例である内燃機関用点火コイルにおける絶縁ケース固定用フランジ部を説明するための平面図である。（実施例１）
【図２】本発明の第２実施例である内燃機関用点火コイルにおける絶縁ケース固定用フランジ部を説明するための側面図である。（実施例２）
【図３】本発明の第３実施例である内燃機関用点火コイルにおける絶縁ケース固定用フランジ部を説明するための底面図である。（実施例３）
【図４】従来の内燃機関用点火コイルにおける絶縁ケース固定用フランジ部を説明するための平面図である。
【図５】従来の内燃機関用点火コイルにおける絶縁ケース固定用フランジ部を説明するための側面図である。
【符号の説明】
【００２９】
１１・・・絶縁ケース
１２・・・コネクタ部
１３・・・絶縁ケース固定用フランジ部
１３１・・・取付孔
１４・・・肉盗み部
１４１・・・傾斜面
１４２・・・水抜き口
２４・・・肉盗み部
２４１・・・すり鉢状傾斜面
２４２・・・水抜き口
２５・・・肉盗み部
【図１】
2005294362.tif 000003
【図２】
2005294362.tif 000004
【図３】
2005294362.tif 000005
【図４】
2005294362.tif 000006
【図５】
2005294362.tif 000007